(57)【特許請求の範囲】
【請求項１】
多導体用固定ヨークの略L字状又はI字状の本体が、送電線を張設している状態における前記多導体用固定ヨークを側方から見たときの前記本体の上部及び下部の先端部に、張設される送電線の方向に開口する開口部を有し、送電線を連結する略三角形のヨーク金具を接続ピンを介して接続するためのクレビス部をそれぞれ有するとともに、前記本体の上部及び下部の先端部の間の略中央部分にがいし連取付部を有する多導体用固定ヨークにおいて、
前記上部のクレビス部の開口部の入口上部に、上位の送電線の取付け時に生じる前記ヨーク金具の前記接続ピンを支点とする回動による前記上部のクレビス部のこじりを避ける切欠部を設けるとともに、
前記上部のクレビス部の前記開口部の奥の下部に、上位の送電線の取付け時に生じる前記ヨーク金具の前記接続ピンを支点とする回動による前記上部のクレビス部のこじりを避ける凹部を設けたことを特徴とする多導体用固定ヨーク。
【発明の詳細な説明】
【０００１】
【発明の属する技術分野】
本発明は、上下に位置する送電線をがいし連を用いて送電線鉄塔に接続するために用いられる多導体用固定ヨークに関する。
【０００２】
【従来の技術】
図６は、従来の上下２条ずつの送電線を２連のがいし連を用いて送電線鉄塔に接続するときに用いられる多導体用固定ヨーク（以下、「固定ヨーク」という。）を示したものであって、図示しない送電線を送電線鉄塔（以下、「鉄塔」という。）に張設している状態を側方から見た図である。
【０００３】
この固定ヨーク１０は鋳鉄製であり、側方から見た場合に底辺の長い略Ｌ字状を呈する本体１０ａを有する。そして、その本体１０ａのＬ字形の各辺の端部に、横方向、すなわち、張設される送電線の方向に開口する開口部を有するクレビス部１１，１２がそれぞれ設けられていて、各クレビス部１１，１２には、平面形状が略三角形のヨーク金具Ｙ1 ，Ｙ2 が、その一つの頂点部分においてそれぞれ取付けられるように構成されている。
【０００４】
上方に位置するヨーク金具Ｙ1 の他の二つの頂点部分には、上２条の送電線（図示せず）がバーニヤ金具等からなる連結金具Ａを介してそれぞれ取付けられている。また、下方に位置するヨーク金具Ｙ2 には、上方に位置するヨーク金具Ｙ1 と同様にして、下２条の送電線がそれぞれ取付けられるように構成されている。
【０００５】
図６中、１３はがいし連取付片であって、本体１０ａの両側に突出する状態で、本体１０ａと一体的に設けられている。そして、がいし連取付片１３の両側部には、それぞれ連結金具１４を介してがいし連Ｂが取付けられるように構成されている。なお、図６に示されるがいし連Ｂの他端側（図６の左端側）は、図示しないが、鉄塔に取付けられる。
【０００６】
【発明が解決しようとする課題】
しかしながら、上記従来の固定ヨークは、図６に示されるように、がいし連Ｂと送電線が取付けられる両クレビス部１１，１２とが一直線上にないため、すなわち、オフセット状態にあるため、最初に例えば上位クレビス１１に送電線を取付ける時に、ヨーク金具Ｙ1 がクレビス部１１内においてこじり運動をし、クレビス部１１が破損されたり、損傷されるおそれがあった。
図７を用いて詳しく説明すると、固定ヨーク１０には、最初に上位の送電線が取付けられるが、この送電線が固定ヨーク１０に取付けられると、固定ヨーク１０は、がいし連Ｂの連結金具１４の枢着部１４ａを中心に回動するので、すなわち、がいし連Ｂの軸心と連結金具Ａを介して取付けられる送電線の伸張方向とが一直線（図７の一点鎖線参照）になるように作用するので、ヨーク金具Ｙ1 がクレビス部１１の開口部１１ａ内で回動してこじり運動をし、ヨーク金具Ｙ1 がクレビス部１１を破損や損傷するおそれがあった。
【０００７】
図８は、上記図７のロ部の拡大図であって、黒丸で示される箇所がヨーク金具Ｙ1 がクレビス部１１と接触している部分を表し、また、白丸で示される箇所が接続ピンＰと接している部分を表している。このように、ヨーク金具Ｙ1 がクレビス部１１内で回動すると、黒丸で示されるように、ヨーク金具Ｙ1 がクレビス部１１に接触するので損傷などのおそれがあった。
【０００８】
本発明は、上記欠点を解決するためになされたものであって、その目的は、とりわけ送電線取付け時にクレビス部がヨーク金具で損傷を受けない固定ヨークを提供することにある。
【０００９】
【課題を解決するための手段】
本発明は、上記目的を達成するために、多導体用固定ヨークの略L字状又はI字状の本体が、送電線を張設している状態における前記多導体用固定ヨークを側方から見たときの前記本体の上部及び下部の先端部に、張設される送電線の方向に開口する開口部を有し、送電線を連結する略三角形のヨーク金具を接続ピンを介して接続するためのクレビス部をそれぞれ有するとともに、前記本体の上部及び下部の先端部の間の略中央部分にがいし連取付部を有する多導体用固定ヨークにおいて、前記上部のクレビス部の開口部の入口上部に、上位の送電線の取付け時に生じる前記ヨーク金具の前記接続ピンを支点とする回動による前記上部のクレビス部のこじりを避ける切欠部を設けるとともに、前記上部のクレビス部の前記開口部の奥の下部に、上位の送電線の取付け時に生じる前記ヨーク金具の前記接続ピンを支点とする回動による前記上部のクレビス部のこじりを避ける凹部を設けたことを特徴としている。
【００１０】
【発明の実施の形態】
以下、本発明の実施の形態を図面に基づいて説明する。図１は、一実施の形態に係る固定ヨークを示したものであって、同図（ａ）は、図示しない送電線を鉄塔に張設している状態を側方から見た正面図、同図（ｂ）は、その平面図である。図２は図１（ａ）の左側面図、図３（ａ）は図１（ａ）のＡ1 −Ａ1 線断面図、同図（ｂ）は図１（ａ）のＡ2 −Ａ2 線断面図である。図４は上部のクレビス部に上位の送電線が取付けられたときの説明図である。
【００１１】
本発明による固定ヨーク１は、上部クレビス部２以外の部分の構成は、基本的に、図６に示された従来品と同一である。すなわち、固定ヨーク１は、鋳鉄製であり、本体１ａと、その本体の上下の端部に設けられたクレビス部２，３と、本体の中間位置に設けられたがいし連取付け片４とからなっている。本体１ａは、側方から見た場合に底辺の長い略Ｌ字状を呈する。そして、その本体１ａのＬ字形の各辺の端部に、横方向、すなわち、張設される送電線の方向に開口する開口部を有するクレビス部２，３がそれぞれ設けられていて、各クレビス部２，３には、平面形状が略三角形のヨーク金具Ｙ1 ，Ｙ2 が、その一つの頂点部分においてそれぞれ取付けられるように構成されている。
【００１２】
これらクレビス部２，３のうち、上部クレビス部２は、その開口部２ａの奥の下部をえぐるように形成された凹部２ｂが設けられているとともに、その開口部の上部を切欠くように形成された切欠部２ｃが設けられている。
【００１３】
上部クレビス部２に連結される上位のヨーク金具Ｙ1 の他の二つの頂点部分には、上２条の送電線がバーニヤ金具等からなる連結金具Ａ８図４参照）を介してそれぞれ取付けられている。また、下部クレビス部３に連結される下位のヨーク金具Ｙ2 には、上位のヨーク金具Ｙ1 と同様にして、下２条の送電線がそれぞれ取付けられる。
【００１４】
図１及び図２中、４は、本発明のがいし連取付部に当るがいし連取付片であって、本体１ａの両側に突出する状態で、本体１ａと一体的に設けられている。そして、そのがいし連取付片４の両側部には、取付孔４ａ，４ｂがそれぞれ設けられている。取付孔４ａ，４ｂには、連結金具５を介してがいし連（図示せず）がそれぞれ取付けられるように構成されている。なお、図１（ｂ）に示される取付孔４ａ，４ｂ以外のがいし連取付片４の孔は、送電線を取付ける際に金車等の工具類が取付けられる孔である。
【００１５】
上記構成の固定ヨークにおいて、送電線が上部クレビス部２に接続された後、下部のクレビス部３に送電線が接続されるまでの間に、固定ヨークは主としてがいし連Ｂの連結金具５の枢着部５ａを中心に回動する。これに連れてヨーク金具Ｙ1 もクレビス部１１の開口部内で回動するが、ヨーク金具Ｙ1 は接続ピンＰの上下の互いに反対側部分に接触するのみで、クレビス部２の開口部の奥の下部と開口部の入口上部に凹部２ｂと切欠部２ｃが設けてあるため、ヨーク金具Ｙ1 の先端及び中間点がクレビス部２に対して図８の黒丸で示されるような点接触をしない。従って、クレビス部２の破損や損傷を未然に防止することができる。
【００１６】
この損傷の未然防止について、図４及び図４のイ部を拡大して示した図５を用いてさらに説明する。図４は、上記図６と同様に上部クレビス部２に送電線が取付けられると、固定ヨーク１はがいし連Ｂの連結金具５の枢着部５ａを中心に回動することを表している。図５において白丸は、上記図８の白丸と同様にヨーク金具Ｙ1 と接続ピンＰとの接触部分を表している。しかし、上部クレビス部２の開口部に凹部２ｂと切欠部２ｃが設けられているので、ヨーク金具Ｙ1 は回動しても、接続ピンＰの上下の互いに反対側部分に接触するのみで、クレビス部２に接触することがない。仮にヨーク金具Ｙ1 がさらに回動することがあっても、接続ピンＰの上下の互いに反対側部分と、凹部２ｂと切欠部２ｃに面接触し、ヨーク金具Ｙ1 から上部クレビス部２に加わる力はそれらの接触面に分散される。いずれにしても、クレビス部２の破損や損傷が未然に防止される。
【００１７】
なお、上述の例では、固定ヨーク１はＬ字状を呈していたが、Ｌ字状の水平辺が上部に位置した天地の逆転したＬ字状であってもよく、また、Ｌ字状を呈さない固定ヨーク、すなわち、中間位置にがいし連取付け片４を有するＩ字形の固定ヨークの上部及び下部にそれぞれクレビス部を有するものであってもよい。
【００１８】
【発明の効果】
本発明は、固定ヨークの略L字状又はI字状の本体が、送電線を張設している状態における前記固定ヨークを側方から見たときの前記本体の上部及び下部の先端部に、張設される送電線の方向に開口する開口部を有し、送電線を連結する略三角形のヨーク金具を接続ピンを介して接続するためのクレビス部をそれぞれ有するとともに、前記本体の上部及び下部の先端部の間の略中央部分にがいし連取付部を有する多導体用固定ヨークにおいて、前記上部のクレビス部の開口部の入口上部に、上位の送電線の取付け時に生じる前記ヨーク金具の前記接続ピンを支点とする回動による前記上部のクレビス部のこじりを避ける切欠部を設けるとともに、前記上部のクレビス部の開口部の奥の下部に、上位の送電線の取付け時に生じる前記ヨーク金具の回動による前記上部のクレビス部のこじりを避ける凹部を設けたので、ヨーク金具は回動しても、接続ピンの上下の互いに反対側部分に接触するのみで、クレビス部に接触することがない。したがって、ヨーク金具が回動してもクレビス部が損傷等を受けるのを効果的に防止することができる。
【図面の簡単な説明】
【図１】（ａ）は、本発明の一実施の形態に係る固定ヨークを、送電線を張設している状態で側面から見たときの正面図、（ｂ）は、その平面図である。
【図２】図１（ａ）の左側面図である。
【図３】（ａ）は、図１（ａ）のＡ1 −Ａ1 線断面図、（ｂ）は、図１（ａ）のＡ2 −Ａ2 線断面図である。
【図４】上部のクレビス部に送電線が取付けられたときの説明図である。
【図５】図４のイ部の拡大図である。
【図６】従来の固定ヨークに送電線を張設したときのその側面から見たときの正面図で
【図７】従来の固定ヨークのクレビス部に送電線が取付けられたときの説明図である。
【図８】図７のロ部の拡大図である。
【符号の説明】
１  多導体用固定ヨーク（固定ヨーク）
２  クレビス部
２ｂ  凹部
２ｃ  切欠部
３  クレビス部
４  がいし連取付片
４ａ，４ｂ  取付孔
５  連結金具
Ｙ1 ，Ｙ2   ヨーク金具
【図１】
0004488650.tif 000002
【図２】
0004488650.tif 000003
【図３】
0004488650.tif 000004
【図４】
0004488650.tif 000005
【図５】
0004488650.tif 000006
【図６】
0004488650.tif 000007
【図７】
0004488650.tif 000008
【図８】
0004488650.tif 000009